(57)【要約】【課題】タッチパネルを用いた実用的な機械の操作盤を得る。【解決手段】操作盤１は、機械の操作キーを表示面１１ａに表示する画像表示パネル１１と、上記表示面１１ａの少なくとも一部に接する透光性の第１領域Ｒ１、および表示面１１ａと対面する位置から外れた位置にある第２領域Ｒ２を有し、１つのタッチ箇所を示す信号または少なくとも２つのタッチ箇所を弁別して示す信号を出力するマルチタッチパネル１２と、操作キー１４が記載されたキー記載面１３ａを有し、マルチタッチパネル１２の第２領域Ｒ２と重なる状態に配置されたキー記載シート１３と、１箇所を示すマルチタッチパネル１２の出力信号を受けて１箇所を示す制御信号Ｓｏを出力し、少なくとも２箇所を弁別して示すマルチタッチパネル１２の出力信号を受けても当該少なくとも２箇所を示す制御信号Ｓｏを出力しない制御部１００とを有する。【選択図】図２
2019074903.tif 000002
【特許請求の範囲】
【請求項１】
機械の操作に関わる操作キーを画像信号に基づいて形成し、この操作キーを表示面に表示する画像表示パネルと、
タッチ操作を受ける一表面を有し、タッチ操作が１箇所においてなされた際にそのタッチ箇所を示す信号を出力し、タッチ操作が同時に少なくとも２箇所においてなされた際にそれらのタッチ箇所を弁別して示す信号を出力し、前記表示面の少なくとも一部に接する透光性の第１領域、および前記表示面と対面する位置から外れた位置にある第２領域を有するマルチタッチパネルと、
機械の操作に関わる操作キーが記載されたキー記載面を有し、前記マルチタッチパネルの第２領域と重なる状態に配置されたキー記載シートと、
前記１箇所を示す前記マルチタッチパネルの出力信号を受けて前記１箇所を示す制御信号を出力し、前記少なくとも２箇所を弁別して示す前記マルチタッチパネルの出力信号を受けても前記少なくとも２箇所を示す制御信号を出力しない制御部と、
を備えた機械の操作盤。
【請求項２】
前記キー記載シートは、前記マルチタッチパネルの前記一表面とは反対側の表面と接する状態に配置されており、
前記マルチタッチパネルの第２領域は透光性である請求項１に記載の機械の操作盤。
【請求項３】
前記キー記載シートは、前記マルチタッチパネルの前記一表面と接する状態に配置されている請求項１に記載の機械の操作盤。
【請求項４】
前記キー記載シートは、前記マルチタッチパネルに接する表面と反対側の表面に凹凸加工が施されている請求項３に記載の機械の操作盤。
【請求項５】
前記マルチタッチパネルは、抵抗膜方式のタッチパネルが用いられている請求項１に記載の機械の操作盤。
【発明の詳細な説明】
【技術分野】
【０００１】
本発明は機械の操作盤、特に詳しくは、タッチパネルを用いた機械の操作盤に関するものである。
【背景技術】
【０００２】
従来、多くの産業機械や工作機械等の操作盤としては、通常、動力入切や各種動作に関する指令を与えるための入力部と、この入力部による指令に基づいて設定された動作や条件を示す表示部との２系統のインターフェイスを備えたものが採用されている。なお、上記表示部としては、多くの場合、液晶表示パネル等の画像表示パネルが適用されているが、表示部としてタッチパネルを適用して、この表示部から上述のような指令を入力可能とした操作盤も知られている。
【０００３】
また従来、操作盤の複雑化、大型化を招きやすいものでもあるが、常に同じ位置に固定されている物理的スイッチで上述のような指令を入力可能とした操作盤も知られている。
【０００４】
特許文献１には、操作ボタンが印刷されたフィルムをタッチパネルの上に配置し、この印刷フィルム上の操作ボタンを押して、つまりはその操作ボタンの直下箇所のタッチパネルを押して、指令を入力可能としたカーナビゲーション装置用の表示装置が開示されている。このような表示装置を、機械の操作盤に適用することも考えられる。そうした場合は、動力入切等の基本的な指示を、常に同じ位置に示されている印刷フィルム上の操作ボタンを押して入力することも可能となる。
【先行技術文献】
【特許文献】
【０００５】
【特許文献１】特許第４４２２５２７号公報
【発明の概要】
【発明が解決しようとする課題】
【０００６】
ここで、特許文献１に示された表示装置は、まだ改良の余地がある。タッチパネルには、シングルタッチパネルとマルチタッチパネルがある。単純なシングルタッチパネルは、同時に少なくとも２箇所のタッチ操作がなされると、それらの中間地点であってタッチ操作がなされていない１箇所を示す信号を出力する。マルチタッチパネルは、同時に少なくとも２箇所のタッチ操作がなされると、それら箇所を弁別して示す信号を出力する。特許文献１は、操作ボタンが同時に２つ以上押される可能性があることまで想定されていないため、マルチタッチパネルを採用する点については何ら示すところが無い。さらに特許文献１は、機械の動作に対する１つの操作に１つの操作キーが割り当てられている操作盤において、１つの操作キーによる機械の動作とそれ以外の操作キーによる機械の動作とを同時に動作させない場合がある点についても何ら示すところが無い。
【０００７】
本発明は上記の事情に鑑みてなされたものであり、物理的スイッチを有する操作盤の代替えとしてタッチパネルを用いた実用的な機械の操作盤を提供することを目的とする。
【課題を解決するための手段】
【０００８】
本発明による機械の操作盤は、
機械の操作に関わる操作キーを画像信号に基づいて形成し、この操作キーを表示面に表示する画像表示パネルと、
タッチ操作を受ける一表面を有し、タッチ操作が１箇所においてなされた際にそのタッチ箇所を示す信号を出力し、タッチ操作が同時に少なくとも２箇所においてなされた際にそれらのタッチ箇所を弁別して示す信号を出力し、上記表示面の少なくとも一部に接する透光性の第１領域、および上記表示面と対面する位置から外れた位置にある第２領域を有するマルチタッチパネルと、
機械の操作に関わる操作キーが記載されたキー記載面を有し、マルチタッチパネルの第２領域と重なる状態に配置されたキー記載シートと、
上記１箇所を示すマルチタッチパネルの出力信号を受けて上記１箇所を示す制御信号を出力し、上記少なくとも２箇所を弁別して示すマルチタッチパネルの出力信号を受けても上記少なくとも２箇所を示す制御信号を出力しない制御部と、
を備えたものである。
【０００９】
なお、上記の制御部は、マルチタッチパネルの中に組み込まれてもよいし、あるいは、マルチタッチパネルとは別体にして設けられてもよい。また、上記の「タッチ操作が同時に少なくとも２箇所においてなされ」とは、タッチ操作の開始時点と終了時点が必ず一致しているという意味ではなく、少なくとも２個所においてなされるタッチ操作が、すくなくとも一時期において併行してなされているということを意味するものである。また、上記の「操作キー」とは、操作入力を受ける部分を示すものであって、大きさや形状は限定されず、例えば操作ボタンと称されるような形状であっても、矢印だけの形状であっても構わない。
【００１０】
また、本発明による機械の操作盤において、
キー記載シートは、マルチタッチパネルのタッチ操作を受ける一表面とは反対側の表面と接する状態に配置され、
マルチタッチパネルの第２領域は透光性とされている、
ことが望ましい。
【００１１】
また、本発明による機械の操作盤において、キー記載シートは、マルチタッチパネルのタッチ操作を受ける一表面と接する状態に配置されていてもよい。
【００１２】
そのようにキー記載シートが、マルチタッチパネルのタッチ操作を受ける一表面と接する状態に配置されている場合、キー記載シートは、マルチタッチパネルに接する表面と反対側の表面、つまり作業者によってタッチされる表面に凹凸加工が施されていることが望ましい。
【００１３】
また、本発明による機械の操作盤において、画像表示パネルとしては例えば液晶表示パネルが、またマルチタッチパネルとしては例えば抵抗膜方式のタッチパネルがそれぞれ好適に用いられ得る。
【００１４】
また、本発明による機械の操作盤において、キー記載シートとしては例えばプリントシートが好適に用いられ得る。
【発明の効果】
【００１５】
本発明による機械の操作盤においては、マルチタッチパネルと、１つのタッチ箇所を示すマルチタッチパネルの出力信号を受けて当該１箇所を示す制御信号を出力し、少なくとも２つのタッチ箇所を弁別して示すマルチタッチパネルの出力信号を受けても少なくとも２箇所を示す制御信号を出力しない制御部とが設けられていることによって、総じて実用的な機械の操作盤を実現することができる。
【００１６】
また、本発明による機械の操作盤は、印刷フィルム等からなるキー記載シートとタッチパネルとの組合わせから入力部を構成した場合に本来得られる効果、すなわち、物理的スイッチを使用する場合と比べてより簡単、小型に形成できる、機械の仕様が変わってもキー記載シートの記載内容を変えることで対応できる、といった効果も得られるものとなる。
【図面の簡単な説明】
【００１７】
【図１】本発明の第１実施形態による機械の操作盤を示す概略斜視図
【図２】図１に示す機械の操作盤を分解して示す分解斜視図
【図３】図１に示す機械の操作盤のマルチタッチパネルを分解して示す分解斜視図
【図４】図１に示す機械の操作盤の表示部を示す正面図
【図５】本発明の第２実施形態による機械の操作盤を分解して示す分解斜視図
【発明を実施するための形態】
【００１８】
以下、図面を参照して本発明の実施形態について説明する。図１は、本発明の第１実施形態による機械の操作盤（以下、単に操作盤という）１の概略全体形状を示しており、また図２はこの操作盤１を分解して示している。以下、これらの図１および図２を参照して説明する。図示のようにこの操作盤１は、板金１０と、板金１０に保持された液晶表示パネル１１と、一部が上記液晶表示パネル１１の表示面１１ａを覆うように配置されたマルチタッチパネル１２と、このマルチタッチパネル１２および板金１０の間に配置されたプリントシート１３とを有している。
【００１９】
板金１０は、液晶表示パネル１１、マルチタッチパネル１２およびプリントシート１３を支持する支持体として機能する。すなわち、液晶表示パネル１１は板金１０の一部に設けられた開口部１０ａ内に収容、固定されている。プリントシート１３は、上記開口部１０ａから外れた位置において、板金１０の一表面１０ｂ上に固定されている。そしてマルチタッチパネル１２は、図２中でハッチングを付して示す第１領域Ｒ１が液晶表示パネル１１の表示面１１ａの全面と対面し、第１領域Ｒ１以外の第２領域Ｒ２（表示面１１ａと対面する位置から外れた位置にある領域）がプリントシート１３の前表面１３ａの全面と対面する状態にして、板金１０に支持されている。
【００２０】
画像表示パネルである液晶表示パネル１１は、図示外の駆動回路に接続され、所定の画像信号に基づいて形成した操作キーや、設定された状態や数値等を表示面１１ａに表示する。なお、この表示面１１ａにおける表示内容については後に詳述する。
【００２１】
プリントシート１３は、その前表面１３ａに、機械の操作に関わる各種操作キー１４がプリントによって記載されたものである。ここで、「プリント」とは、いわゆる版を用いる印刷は勿論のこと、そのような印刷のみならず、インクジェットプリンターによる記載手法等、永久的あるいは半永久的に記載内容を残すことができるあらゆる記載手法を含む概念と定義する。また、本発明における「キー記載シート」は、上述のようなプリントによって操作キーが記載されたものに限らず、その他例えば、リソグラフィ等の手法によって操作キーが記載されたものであってもよい。
【００２２】
プリントシート１３の形状は特定の形状に限られるものではないが、本実施形態においてプリントシート１３の形状は、略Ｌ字状とされている。そしてこのプリントシート１３は、略Ｌ字状をなす２つの長方形状部分がそれぞれ、液晶表示パネル１１の隣合う２辺の外側に位置する状態にして、板金１０に固定されている。この固定は、例えばプリントシート１３の後表面１３ｂを、板金１０の一表面１０ｂに接着する等によってなされる。こうして板金１０に固定されたプリントシート１３は、マルチタッチパネル１２のタッチ操作を受ける前表面１２ａとは反対側の表面である後表面１２ｂと接する状態となる。
【００２３】
なお、板金１０の一表面１０ｂ上には複数のＬＥＤ（発光ダイオード）１５が取り付けられている。これらのＬＥＤ１５が発する光は、プリントシート１３に設けられている孔１３ｃを通過して、プリントシート１３の前表面１３ａ側から視認され得るようになっている。この光は、例えばプリントシート１３に記載された操作キー１４や、あるいは各操作キー１４と対応付けてプリントシート１３に記載された事項等を照明するために利用される。あるいは、ある操作キー１４の中または近くでこの光が視認されるようにし、その操作キー１４が指定した機械の動作が進行している間はこの光を点滅させて、動作進行中であることを作業者に知らせるようにしてもよい。
【００２４】
マルチタッチパネル１２は、図３に分解斜視形状を示すように、互いに対面する状態に配置された第１パネル２０および第２パネル３０を有する。第１パネル２０は、電極基板２１、この電極基板２１に各々接続してＸ方向に並設された複数のＸ方向分割電極２２、これらの基板２１および電極２２と離して配置された電極基板２３およびＸ方向分割電極２４、並びに両Ｘ方向分割電極２２、２４の間に配置されたＸ方向分割透明導電膜２５を有している。Ｘ方向分割透明導電膜２５は、例えばＩＴＯ(Indium Tin Oxide)のような透光性の導電材料からなる膜である。Ｘ方向分割透明導電膜２５は、１つのＸ方向分割電極２２と、それに対向する１つのＸ方向分割電極２４との間においてＹ方向に延びる短冊状透明導電膜が複数、互いにＸ方向に分離した状態に並設されてなる。上記短冊状透明導電膜の各々には、Ｘ方向分割電極２２、２４から電圧が印加される。
【００２５】
一方第２パネル３０は、電極基板３１、この電極基板３１に各々接続してＹ方向に並設された複数のＹ方向分割電極３２、これらの基板３１および電極３２と離して配置された電極基板３３およびＹ方向分割電極３４、並びに両Ｙ方向分割電極３２、３４の間に配置されたＹ方向分割透明導電膜３５を有している。Ｙ方向分割透明導電膜３５は、上記Ｘ方向分割透明導電膜２５と同様に、透光性の導電材料からなる膜である。Ｙ方向分割透明導電膜３５は、１つのＹ方向分割電極３２と、それに対向する１つのＹ方向分割電極３４との間においてＸ方向に延びる短冊状透明導電膜が複数、互いにＹ方向に分離した状態に並設されてなる。上記短冊状透明導電膜の各々には、Ｙ方向分割電極３２、３４から電圧が印加される。
【００２６】
上記の第１パネル２０と第２パネル３０は、Ｘ方向分割電極２２、２４の並び方向とＹ方向分割電極３２、３４の並び方向とが互いに直交する向きにして、そしてＸ方向分割透明導電膜２５とＹ方向分割透明導電膜３５とが微小間隔を置いて対面する状態に配置される。なお本実施形態では、一例として、Ｘ方向分割透明導電膜２５が存在する側のパネル前表面１２ａが、タッチ操作を受ける面とされている。
【００２７】
上記構成のマルチタッチパネル１２において、パネル前表面１２ａのある箇所がタッチ操作を受けると、その箇所においてＸ方向分割透明導電膜２５とＹ方向分割透明導電膜３５とが導通し、それにより、上述のようにＸ方向およびＹ方向に印加されていた電圧が低下する。この電圧の変化は、Ｘ方向分割透明導電膜２５の１つの短冊状導電膜と、Ｙ方向分割透明導電膜３５の１つの短冊状導電膜とが対向している部分（セル：図２中においてＣで示す）毎に検出され、この検出電圧信号を制御部１００で処理することにより、タッチ箇所のＸ方向座標およびＹ方向座標を知ることができる。
【００２８】
このようなタッチ箇所の検出方式によれば、マルチタッチパネル１２のパネル前表面１２ａにおいてタッチされている１つの箇所も、また同時にタッチされている少なくとも２つの箇所も検出して、後述される制御部１００にタッチ箇所を示す信号を出力可能である。例えば、同時にタッチされている少なくとも２箇所は、同時にタッチされている状態が継続している期間において、所定の短い時間間隔で時系列に１箇所ずつ順にそれぞれのタッチ箇所を示す信号を出力信号として制御部１００に繰り返し出力されてもよい。例えば、２箇所が同時にタッチされている状態が継続している間は、所定の短い時間間隔で時系列に２つのタッチ箇所をそれぞれ示す２つの信号を交互に出力信号として制御部１００に繰り返し出力されてもよい。なお、マルチタッチパネル１２には、いわゆる４線方式や５線方式等の従来公知の配線方式を採用可能であるが、図３では詳しい配線状態は省略している。
【００２９】
本発明の操作盤の制御部１００は、マルチタッチパネル１２のパネル前表面１２ａにおいてタッチされている１つの箇所を示す出力信号を受けたときのみ、その１つの箇所を示すＸ，Ｙ座標の制御信号Ｓｏを出力し、タッチされている少なくとも２つの箇所を弁別して示す出力信号を受けても、少なくとも２箇所を示すそれぞれのＸ，Ｙ座標の制御信号Ｓｏを出力しない。
【００３０】
制御部１００は、例えば、マルチタッチパネル１２が所定の短い時間間隔で時系列に出力する出力信号が前後で同じであれば、マルチタッチパネル１２のパネル前表面１２ａの１箇所のみがタッされている状態と判定して、当該１箇所を示す出力信号に基づき当該１箇所を示すＸ，Ｙ座標の制御信号Ｓｏを出力し、それら出力信号が前後で異なるのであれば、マルチタッチパネル１２のパネル前表面１２ａの少なくとも２箇所が同時にタッチされていると判定して、制御信号Ｓｏを出力しないようにしてもよい。
【００３１】
また、制御部１００は、例えば、マルチタッチパネル１２のパネル前表面１２ａにおいて１箇所のみがタッチされている状態で別の１箇所がタッチされることで、途中から２箇所が同時にタッチされている状態に切り替わる場合には、１つ目の箇所を示すＸ，Ｙ座標の制御信号Ｓｏを出力している状態から、２つ目の箇所がタッチされた時点で２つの箇所を示すＸ，Ｙ座標の制御信号Ｓｏが出力されない上に、１つ目の箇所を示すＸ，Ｙ座標の制御信号Ｓｏも出力されなくなり、すべての制御信号Ｓｏの出力が停止する。
【００３２】
また、例えば、制御部１００は、マルチタッチパネル１２のパネル前表面１２ａにおいて２箇所が同時にタッチされていて、どちらのＸ，Ｙ座標の制御信号Ｓｏも出力されていない状態で、途中からどちらか１つの箇所がタッチされなくなって残る１つの箇所のみがタッチされている状態に切り替わ場合には、継続してタッチされている１つの箇所を示すＸ，Ｙ座標の制御信号Ｓｏの出力が開始されるようにしてもよい。
【００３３】
次に、本実施形態の操作盤１の作用について説明する。まず、マルチタッチパネル１２において、タッチ箇所が１つだけ検出される場合について説明する。図４は、この操作盤１のマルチタッチパネル１２の部分を、タッチ操作を受ける前表面１２ａ側から見た状態を示している。この状態下では、図示される通り、マルチタッチパネル１２の透明導電膜２５および３５（図３参照）越しに、液晶表示パネル１１の表示面１１ａおよび、プリントシート１３の前表面１３ａが観察可能となっている。つまり、上記表示面１１ａに画像信号に基づいて表示された操作キー１１Ｂや条件表示部１１Ｃ、並びにプリントシート１３の前表面１３ａに記載されている操作キー１４が観察され得る。
【００３４】
図４に示す各操作キー１４は、機械に指令する動作の内容を簡単に示す操作キーの名称（図示省略）または記号と一緒にプリントシート１３に記載されている。図４に示す各操作キー１４には、例えば、２０、２１、２２・・・６０、６１、６２・・・のような操作キー番号が付与されていてもよい。そして、操作キー１４の各番号の操作キー１４が機械に指令する動作を示すリストが、マルチタッチパネル１２とは別に用意されていてもよい。例えば機械の操作に不慣れな作業者はそのリストを参照して、各操作キー１４をタッチして押したとき、何の動作の指令が機械に与えられるかを知ることができる。
【００３５】
一例として、操作キー番号６１の操作キー１４は機械内のある電動操作部の電源オンを指令するキー、操作キー番号６３の操作キー１４は機械が有するヒータの電源オンを指令するキーそして操作キー番号６５の操作キー１４は機械が有するモータの電源オンを指令するキーである。
【００３６】
操作盤１の操作を行う作業者は、プリントシート１３の前表面１３ａに記載されている、ある操作キー１４にタッチして押すことにより、その操作キー１４に対応付けられている動作を機械に行わせることができる。なお、上記の「操作キー１４にタッチして押す」とは、厳密に言えば、操作キー１４と重なっている部分のマルチタッチパネル１２にタッチして所定の圧力で押し、その部分においてＸ方向分割透明導電膜２５とＹ方向分割透明導電膜３５とを接触させるということであるが、説明の冗長化を避けるために、このように表現することにする（以下、同様）。
【００３７】
単純に、１つの操作キー１４に対応付けられている１つの動作を機械に行わせるためには、１つの操作キー１４のマルチタッチパネル１２上におけるＸ,Ｙ座標（Ｘ１,Ｙ１）と、１つの動作、例えば機械の動力立上のような機械の基本的な動作等とを対応付けて機械の制御装置に記憶させておく。そして、図３に示す制御部１００が出力する、タッチ箇所を示す制御信号Ｓｏが機械の制御装置に入力されたとき、例えば、この制御信号Ｓｏが示すＸ,Ｙ座標が（Ｘ１,Ｙ１）であるならば、このＸ,Ｙ座標（Ｘ１,Ｙ１）と対応付けられている１つの動作を機械に行わせるように、機械の制御装置を構成すればよい。
【００３８】
なお、上記座標値Ｘ１およびＹ１は、それぞれ所定の数値幅を持つものであってもよい。また、操作キー１４のマルチタッチパネル１２上における少なくとも２つ（ｎ＞１）のＸ,Ｙ座標（Ｘ１１,Ｙ１１），（Ｘ１２，Ｙ１２），〜（Ｘ１ｎ，Ｙ１ｎ）で示される座標領域と、１つの動作、例えば機械の動力立上のような機械の基本的な動作等とを対応付けて機械の制御装置に記憶させておいてもよい。そして、図３に示す制御部１００が出力する、タッチ箇所を示すＸ，Ｙ座標の制御信号Ｓｏが機械の制御装置に入力されたとき、例えば、制御信号Ｓｏが示すＸ,Ｙ座標（Ｘ１，Ｙ１）が、Ｘ１１からＸ１２までの間でかつＹ１１からＹ１２までの間であるならば、２つのＸ，Ｙ座標（Ｘ１１,Ｙ１１），（Ｘ１２,Ｙ１２）で示される座標領域と予め対応付けられた１つの動作を機械に行わせるように、機械の制御装置を構成してもよい。そのようにすることは、特に操作キー１４の記載サイズが比較的大きい場合において好ましい。
【００３９】
上述したように、１つの操作キー１４が押されたとき、その操作キー１４に対応付けられている１つの動作を機械に行わせるための構成は、液晶表示パネル１１の表示面１１ａに表示されている操作キー１１Ｂが押されたとき、その操作キー１１Ｂに対応付けられている１つの動作を機械に行わせるために適用されてもよい。
【００４０】
なお、例えば、第１実施形態において、液晶表示パネル１１の表示面１１ａに表示されている操作キー１１Ｂが押された際になされる１つの動作は、機械の稼働中になされる各種条件の設定動作である。つまりそのような設定動作は、例えば射出成形機においては、成形材料の加熱条件を設定した後、金型の開閉および型締条件を設定し、次いで、溶融樹脂を金型の中に射出する射出条件を設定する、といったように順を追ってなされることが多い。そしてそれらの設定は、例えば１つの操作キー１１Ｂに付与されている表示が、例えば「樹脂材料の種類の選択」、「金型の種類の選択」、「射出速度の設定」等に順次変化するように、表示面１１ａの表示状態を遷移させながら行われることも多い。液晶表示パネル１１は、表示面１１ａにおける表示内容を簡単に変更可能であるから、上記のような表示状態の遷移に容易に対応可能である。
【００４１】
なお、図４に示す表示面１１ａに表示される条件表示部１１Ｃには、設定された条件、例えば上記射出速度等が表示される。この条件表示部１１Ｃに表示される条件は、表示面１１ａに表示された操作キー１１Ｂによって設定された条件に限らず、プリントシート１３に記載されている操作キー１４によって設定された条件であってもよい。
【００４２】
次に、マルチタッチパネル１２によって、複数のタッチ箇所が同時に検出される場合の作用について説明する。マルチタッチパネル１２から少なくとも２つのタッチ箇所を示す信号が出力されると、図３に示す制御部１００は、それらタッチ箇所を示すＸ，Ｙ座標の各制御信号Ｓｏを機械の制御装置に一切出力しない。例えば、１つの操作キー１４とそれとは別の１つの操作キー１４を同時に押したとしても、制御部１００がそれら操作キー１４に対応する操作信号Ｓｏを機械の制御装置に出力しないので、それらの操作キー１４に対応する機械の操作が行われないことになる。
【００４３】
なお、本例において制御部１００は、「タッチ操作が１箇所においてなされた際に当該１箇所を示す前記マルチタッチパネルの出力信号を受けて当該１箇所を示す制御信号を出力し、タッチ操作が同時に少なくとも２箇所においてなされた際に当該少なくとも２箇所を弁別して示すマルチタッチパネルの出力信号を受けても当該少なくとも２箇所を示す制御信号を出力しない」という予め定められた規則に従って、上述の通りの制御信号Ｓｏを出力する。このような制御部１００は、例えば予め定められたプログラムを実行するマイクロコンピューター等から構成することができる。
【００４４】
以上詳しく説明した通り本実施形態の操作盤１においては、マルチタッチパネル１２と、１つのタッチ箇所を示すマルチタッチパネル１２の出力信号を受けて当該１箇所を示す制御信号Ｓｏを出力し、少なくとも２つのタッチ箇所を弁別して示すマルチタッチパネル１２の出力信号を受けても少なくとも２箇所を示す制御信号を出力しない制御部１００とが設けられているので、総じて実用的な機械の操作盤を実現し、物理的スイッチを有する操作盤との代替えが可能となっている。
【００４５】
次に、本発明の第２の実施形態について、図５を参照して説明する。図５は、本発明の第２実施形態による操作盤２を分解して示している。この操作盤２は、図２に示した第１実施形態の操作盤１と対比すると、マルチタッチパネル１２とプリントシート１３の積層の順序が逆である点で異なる。すなわち、この操作盤２ではプリントシート１３が、マルチタッチパネル１２のタッチ操作を受ける前表面１３ａと接する状態に配置されている。そしてプリントシート１３は、該プリントシート１３越しにマルチタッチパネル１２にタッチ操作が伝わるように、十分薄くて柔らかい材料から形成されている。
【００４６】
この操作盤２においては、プリントシート１３のマルチタッチパネル１２と接する後表面１３ｂと反対側の表面である前表面１３ａに、エンボス加工等の凹凸加工が施されていることが望ましい。そのような加工は、操作キー１４がプリントされている範囲だけに施されていることが、さらに望ましい。
【００４７】
なお、本実施形態においては、プリントシート１３と重なるマルチタッチパネル１２の第２領域Ｒ２は、特に透光性である必要はない。
【００４８】
上記構成の操作盤２においても、基本的に第１実施形態の操作盤１におけるのと同様の作用、効果が得られる。また、プリントシート１３に上述のような凹凸加工が施されている場合、作業者は、マルチタッチパネル１２をタッチ操作したという感覚をより得ることができる。
【符号の説明】
【００４９】
１、２    機械の操作盤
１０    板金
１１    液晶表示パネル
１１ａ  液晶表示パネルの表示面
１１Ｂ  表示された操作キー
１２    マルチタッチパネル
１２ａ  マルチタッチパネルの前表面
１２ｂ  マルチタッチパネルの後表面
１３    プリントシート
１３ａ  プリントシートの前表面
１３ｂ  プリントシートの後表面
１４    記載された操作キー
１５    ＬＥＤ
１００  制御部
Ｒ１    マルチタッチパネルの第１領域
Ｒ２    マルチタッチパネルの第２領域
【図１】
2019074903.tif 000003
【図２】
2019074903.tif 000004
【図３】
2019074903.tif 000005
【図４】
2019074903.tif 000006
【図５】
2019074903.tif 000007
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
機械の操作に関わる操作キーを画像信号に基づいて形成し、この操作キーを表示面に表示する画像表示パネルと、
タッチして所定の圧力で押すタッチ操作を受ける一表面を有し、前記一表面上の領域が格子状に複数のセルに分けられ、前記複数のセルがそれぞれ１つの抵抗膜式のシングルタッチパネルとして構成され、前記タッチ操作が１つの前記セルのみにおいてなされた際に当該１つのセル上のタッチ箇所のみを示す信号を出力し、前記タッチ操作が同時に少なくとも２つの異なる前記セルにおいてなされた際にそれら前記異なるセル上のそれぞれのタッチ箇所を弁別して示す信号を出力し、前記表示面の少なくとも一部に接する透光性の第１領域、および前記表示面と対面する位置から外れた位置にある第２領域を有する抵抗膜式のマルチタッチパネルと、
機械の操作に関わる操作キーが記載されたキー記載面を有し、前記マルチタッチパネルの第２領域と重なる状態に配置されたキー記載シートと、
前記１つのセル上のタッチ箇所のみを示す前記マルチタッチパネルの出力信号を受けて前記１つのセル上のタッチ箇所のみを示す制御信号を出力し、前記少なくとも２つの異なるセル上のそれぞれのタッチ箇所を弁別して示す前記マルチタッチパネルの出力信号を受けても前記少なくとも２つの異なるセル上のそれぞれのタッチ箇所を弁別して示す制御信号を機械の制御装置に出力しない制御部と、
を備えた機械の操作盤。
【請求項２】
前記キー記載シートは、前記マルチタッチパネルの前記一表面とは反対側の表面と接する状態に配置されており、
前記マルチタッチパネルの第２領域は透光性である請求項１に記載の機械の操作盤。
【請求項３】
前記キー記載シートは、前記マルチタッチパネルの前記一表面と接する状態に配置されている請求項１に記載の機械の操作盤。
【請求項４】
前記キー記載シートは、前記マルチタッチパネルに接する表面と反対側の表面に凹凸加工が施されている請求項３に記載の機械の操作盤。
【請求項５】
前記マルチタッチパネルは、
第１Ｘ方向電極基板と、前記第１Ｘ方向電極基板に各々接続してＸ方向に並設された複数の第１Ｘ方向分割電極と、前記第１Ｘ方向電極基板および前記第１Ｘ方向分割電極と離して配置された第２Ｘ方向電極基板と、前記第１Ｘ方向電極基板および前記第１Ｘ方向分割電極と離して配置されるともに前記第２Ｘ方向電極基板に各々接続してＸ方向に並設された複数の第２Ｘ方向分割電極と、互いに対向して配置されている１つの前記第１Ｘ方向分割電極と１つの前記第２Ｘ方向分割電極との間でＹ方向に延びるＹ方向短冊状透明導電膜を複数、互いにＸ方向に分離した状態で並設するＸ方向分割透明導電膜とを有するＸ方向検出パネルと、
第１Ｙ方向電極基板と、前記第１Ｙ方向電極基板に各々接続してＹ方向に並設された複数の第１Ｙ方向分割電極と、前記第１Ｙ方向電極基板および前記第１Ｙ方向分割電極と離して配置された第２Ｙ方向電極基板と、前記第１Ｙ方向電極基板および前記第１Ｙ方向分割電極と離して配置されるとともに前記第２Ｙ方向電極基板に各々接続してＹ方向に並設された複数の第２Ｙ方向分割電極と、対向して配置されている１つの前記第１Ｙ方向分割電極と１つの前記第２Ｙ方向分割電極との間でＸ方向に延びるＸ方向短冊状透明導電膜を複数、互いにＹ方向に分離した状態に並設するＹ方向分割透明導電膜とを有するＹ方向検出パネルとを備え、
１つの前記セルは、前記Ｘ方向分割透明導電膜の１つの前記Ｙ方向短冊状透明導電膜と前記Ｙ方向分割透明導電膜の１つのＸ方向短冊状透明導電膜とが対向している部分であり、
該マルチタッチパネルは、前記タッチ操作によって前記所定の圧力で押されると、押された部分の前記Ｘ方向分割透明導電膜と前記Ｙ方向分割透明導電膜とが接触するように構成されている、請求項１に記載の機械の操作盤。
【手続補正２】
【補正対象書類名】明細書
【補正対象項目名】０００８
【補正方法】変更
【補正の内容】
【０００８】
本発明による機械の操作盤は、
機械の操作に関わる操作キーを画像信号に基づいて形成し、この操作キーを表示面に表示する画像表示パネルと、
タッチして所定の圧力で押すタッチ操作を受ける一表面を有し、一表面上の領域が格子状に複数のセルに分けられ、複数のセルがそれぞれ１つの抵抗膜式のシングルタッチパネルとして構成され、タッチ操作が１つのセルのみにおいてなされた際に当該１つのセル上のタッチ箇所のみを示す信号を出力し、タッチ操作が同時に少なくとも２つの異なるセルにおいてなされた際にそれら異なるセル上のそれぞれのタッチ箇所を弁別して示す信号を出力し、上記表示面の少なくとも一部に接する透光性の第１領域、および上記表示面と対面する位置から外れた位置にある第２領域を有する抵抗膜式のマルチタッチパネルと、
機械の操作に関わる操作キーが記載されたキー記載面を有し、マルチタッチパネルの第２領域と重なる状態に配置されたキー記載シートと、
上記１つのセル上のタッチ箇所のみを示すマルチタッチパネルの出力信号を受けて上記１つのセル上のタッチ箇所のみを示す制御信号を出力し、上記少なくとも２つの異なるセル上のそれぞれのタッチ箇所を弁別して示すマルチタッチパネルの出力信号を受けても上記少なくとも２つの異なるセル上のそれぞれのタッチ箇所を弁別して示す制御信号を機械の制御装置に出力しない制御部と、
を備えたものである。
【手続補正３】
【補正対象書類名】明細書
【補正対象項目名】００１３
【補正方法】変更
【補正の内容】
【００１３】
また、本発明による機械の操作盤において、画像表示パネルとしては例えば液晶表示パネルが好適に用いられ得る。また例えば抵抗膜方式のタッチパネルは、第１Ｘ方向電極基板と、前記第１Ｘ方向電極基板に各々接続してＸ方向に並設された複数の第１Ｘ方向分割電極と、前記第１Ｘ方向電極基板および前記第１Ｘ方向分割電極と離して配置された第２Ｘ方向電極基板と、前記第１Ｘ方向電極基板および前記第１Ｘ方向分割電極と離して配置されるともに前記第２Ｘ方向電極基板に各々接続してＸ方向に並設された複数の第２Ｘ方向分割電極と、互いに対向して配置されている１つの前記第１Ｘ方向分割電極と１つの前記第２Ｘ方向分割電極との間でＹ方向に延びるＹ方向短冊状透明導電膜を複数、互いにＸ方向に分離した状態で並設するＸ方向分割透明導電膜とを有するＸ方向検出パネルと、第１Ｙ方向電極基板と、前記第１Ｙ方向電極基板に各々接続してＹ方向に並設された複数の第１Ｙ方向分割電極と、前記第１Ｙ方向電極基板および前記第１Ｙ方向分割電極と離して配置された第２Ｙ方向電極基板と、前記第１Ｙ方向電極基板および前記第１Ｙ方向分割電極と離して配置されるとともに前記第２Ｙ方向電極基板に各々接続してＹ方向に並設された複数の第２Ｙ方向分割電極と、対向して配置されている１つの前記第１Ｙ方向分割電極と１つの前記第２Ｙ方向分割電極との間でＸ方向に延びるＸ方向短冊状透明導電膜を複数、互いにＹ方向に分離した状態に並設するＹ方向分割透明導電膜とを有するＹ方向検出パネルとを備え、１つの前記セルは、前記Ｘ方向分割透明導電膜の１つの前記Ｙ方向短冊状透明導電膜と前記Ｙ方向分割透明導電膜の１つのＸ方向短冊状透明導電膜とが対向している部分であり、該マルチタッチパネルは、前記タッチ操作によって前記所定の圧力で押されると、押された部分の前記Ｘ方向分割透明導電膜と前記Ｙ方向分割透明導電膜とが接触するように構成されている、とよい。
【手続補正４】
【補正対象書類名】明細書
【補正対象項目名】００２４
【補正方法】変更
【補正の内容】
【００２４】
マルチタッチパネル１２は、図３に分解斜視形状を示すように、互いに対面する状態に配置されたＸ方向検出パネル２０およびＹ方向検出パネル３０を有する。Ｘ方向検出パネル２０は、第１Ｘ方向電極基板２１と、第１Ｘ方向電極基板２１に各々接続してＸ方向に並設された複数の第１Ｘ方向分割電極２２と、第１Ｘ方向電極基板２１および第１Ｘ方向分割電極２２と離して配置された第２Ｘ方向電極基板２３と、第１Ｘ方向電極基板２１および第１Ｘ方向分割電極２２と離して配置されるともに第２Ｘ方向電極基板２３に各々接続してＸ方向に並設された複数の第２Ｘ方向分割電極２４と、第１Ｘ方向分割電極２２と第２Ｘ方向分割電極２４との間に配置されたＸ方向分割透明導電膜２５とを有している。Ｘ方向分割透明導電膜２５は、例えばＩＴＯ（Ｉｎｄｉｕｍ  Ｔｉｎ  Ｏｘｉｄｅ）のような透光性の導電材料からなる膜である。Ｘ方向分割透明導電膜２５は、１つの第１Ｘ方向分割電極２２と、それに対向する１つの第２Ｘ方向分割電極２４との間においてＹ方向に延びるＹ方向短冊状透明導電膜が複数、互いにＸ方向に分離した状態に並設されてなる。上記Ｙ方向短冊状透明導電膜の各々には、対応する第１および第２Ｘ方向分割電極２２、２４を通して電圧が印加される。
【手続補正５】
【補正対象書類名】明細書
【補正対象項目名】００２５
【補正方法】変更
【補正の内容】
【００２５】
一方Ｙ方向検出パネル３０は、第１Ｙ方向電極基板３１と、第１Ｙ方向電極基板３１に各々接続してＹ方向に並設された複数の第１Ｙ方向分割電極３２と、第１Ｙ方向電極基板３１および第１Ｙ方向分割電極３２と離して配置された第２Ｙ方向電極基板３３と、第１Ｙ方向電極基板３１および第１Ｙ方向分割電極３２と離して配置されるとともに第２Ｙ方向電極基板３３に各々接続してＹ方向に並設された複数の第２Ｙ方向分割電極３４と、第１Ｙ方向分割電極３２と第２Ｙ方向分割電極３４との間に配置されたＹ方向分割透明導電膜３５とを有している。Ｙ方向分割透明導電膜３５は、上記Ｘ方向分割透明導電膜２５と同様に、透光性の導電材料からなる膜である。Ｙ方向分割透明導電膜３５は、１つの第１Ｙ方向分割電極３２と、それに対向する１つの第２Ｙ方向分割電極３４との間においてＸ方向に延びるＸ方向短冊状透明導電膜が複数、互いにＹ方向に分離した状態に並設されてなる。上記Ｘ方向短冊状透明導電膜の各々には、対応する第１および第２Ｙ方向分割電極３２、３４を通して電圧が印加される。
【手続補正６】
【補正対象書類名】明細書
【補正対象項目名】００２６
【補正方法】変更
【補正の内容】
【００２６】
上記のＸ方向検出パネル２０とＹ方向検出パネル３０は、第１および第２Ｘ方向分割電極２２、２４の並び方向と第１および第２Ｙ方向分割電極３２、３４の並び方向とが互いに直交する向きにして、そしてＸ方向分割透明導電膜２５とＹ方向分割透明導電膜３５とが微小間隔を置いて対面する状態に配置される。なお本実施形態では、一例として、Ｘ方向分割透明導電膜２５が存在する側のパネル前表面１２ａが、タッチ操作を受ける面とされている。